(57)【要約】      （修正有）【課題】衣類に関する情報へのアクセスリンクを容易に付与でき、意匠性にも優れ、その他の服飾資材の省略も可能にする識別情報付きボタンを提供する。【解決手段】衣類への取付部を有し、天面部分に凹み部が形成されているベース１１と、凹み部に載置される媒体であって、衣類に関する情報の保管場所へ所在を明示するコード（識別コード１４）を含む識別情報保持媒体であるシート１３と、識別情報保持媒体と凹み部を覆うカバー１２と、を有する識別情報付きボタンによる。【選択図】図１
0003220543.tif 000002
【実用新案登録請求の範囲】
【請求項１】
衣類への取付部を有し、天面部分に凹み部が形成されているベースと、
前記凹み部に載置される媒体であって、前記衣類に関する情報の保管場所の所在を明示するコードを含む識別情報保持媒体と、
前記識別情報保持媒体と前記凹み部を覆うカバーと、
を有することを特徴とする識別情報付きボタン。
【考案の詳細な説明】
【技術分野】
【０００１】
本考案は、衣類に取り付けられるボタンに関し、当該衣類に関連する情報へのアクセスを容易にする識別情報付きボタンに関する。
【背景技術】
【０００２】
衣類には複数の服飾資材が用いられる。例えば、衣類をクリーニングするときの条件（使用可能な洗剤、温度など）を明示した表示ラベルや、衣類の素材や特性などを印字した下げ札などもその一種である。また、袖口に取り付けられるボタンなども、服飾資材の一種である。
【０００３】
従来から、服飾資材に衣類に関する情報を記憶させるデータキャリアを備えるものが知られている（例えば、特許文献１を参照）。また、衣類に個人を特定する識別番号を記録したコードを付与したシールを貼り付けて、当該個人の身元確認を容易に行うことを目的とするシステムも知られている（例えば、特許文献２を参照）。
【先行技術文献】
【特許文献】
【０００４】
【特許文献１】特開Ｈ１１−１４４０１１号公報
【特許文献２】実用新案登録第３１９９８６２号公報
【考案の概要】
【考案が解決しようとする課題】
【０００５】
特許文献１のように、服飾資材にデータキャリアを含む構造にすると、その製造コストが高くなり、これを用いる衣類そのもののコスト高となる。また、服飾資材は消耗品でもあるので、データキャリアを含んだまま紛失することもある。
【０００６】
特許文献２のように、識別情報を記録したシールを衣類に貼り付けることで、衣類そのものの情報を付与することもできるが、意匠性に欠く。
【０００７】
例えば、いわゆる「ブランド品」と言われる衣類であれば特に、衣類着用者（顧客）や、衣類取扱者（販売事業者など）に対して、より多くの当該衣類に関する情報を伝達したい、という要求がある。その場合、衣類提供者（服飾メーカーなど）が運用するホームページに、当該衣類に関する情報を掲示するなどの手法が採用される。この場合、衣類に関する情報とともに服飾資材に関する情報を掲示することもできる。
【０００８】
しかし、ホームページにアクセするためのアクセスリンクとなるホームページアドレスを、情報処理端末（パーソナルコンピュータなど）に入力する必要があり、服飾資材を情報へのアクセスリンクとして、容易にデータにアクセスできるものは提供されていなかった。
【０００９】
本考案は、衣類に関する情報へのアクセスリンクを容易に付与でき、意匠性にも優れ、その他の服飾資材の省略もしくは服飾資材に表示される情報の補完機能を付与することも可能にし、これらに関するデータへのアクセスリンクも容易に付与できる識別情報付きボタンを提供することを目的とする。
【課題を解決するための手段】
【００１０】
上記技術的課題を解決するため、本考案の一態様は、識別情報付きボタンに関するものであり、衣類への取付部を有し、天面部分に凹み部が形成されているベースと、前記凹み部に載置される媒体であって、前記衣類に関する情報の保管場所の所在を明示するコードを含む識別情報保持媒体と、前記識別情報保持媒体と前記凹み部を覆うカバーと、を有することを特徴とする。
【考案の効果】
【００１１】
本考案によれば、衣類に関する情報へのアクセスリンクを容易に付与でき、意匠性にも優れ、その他の服飾資材の省略もしくは服飾資材に表示される情報の補完機能を付与することも可能にし、これらに関するデータへのアクセスリンクも容易に付与できる。
【図面の簡単な説明】
【００１２】
【図１】本考案に係る識別情報付きボタンの実施形態を示す分解斜視図。
【図２】上記識別情報付きボタンの構造を示す断面図。
【図３】上記識別情報付きボタンの別の例を示す断面図。
【図４】上記識別情報付きボタンを衣類に取り付ける例を示す図。
【図５】上記識別情報付きボタンに基づいてデータへのアクセスを可能にするシステムを例示する図。
【考案を実施するための形態】
【００１３】
図１は、本考案の実施形態の全体像を示す分解斜視図である。図１において、本考案の実施形態である識別コード付きのボタン１００は、ベース１１と、カバー１２と、ベース１１とカバー１２との間に配置されるシート１３と、を組み合わせて構成される。
【００１４】
ベース１１は、金属や樹脂などの、所定以上の硬度を有する素材から形成され、ボタン１００の土台となる部材である。カバー１２は、透明な樹脂等からなり、シート１３を保護するために用いられる部材である。
【００１５】
シート１３には、所定の物に関する情報の保管場所の所在を明示するアクセスリンクをコード化した「識別コード１４」が付与されている。識別コード１４は、シート１３に対する印刷により付与されるものであって、例えば、ＱＲコード（登録商標）に代表される二次元コードである。なお、識別コード１４は図形など画像として認識できるものであればよく、所定の場所に保存されているデータへのアクセスリンクを含めることができるものであれば、その形態や種類は限定しない。
【００１６】
次に、ボタン１００の構造についてより詳細に説明する。図２および図３は、ボタン１００の断面図である。図２および図３に示すように、ベース１１は天面部分に凹み部が形成されていて、その凹み部に識別コード１４が印刷されたシート１３を載置できるようになっている。カバー１２は、凹み部に嵌合する寸法で形成されていて、当該カバー１２を凹み部に嵌合して固定されることで、識別情報保持媒体であるシート１３がカバー１２によって覆われて、ベース１１に保持される。
【００１７】
シート１３の素材は、特に限定されるものではないが、気体が含まれにくい密度の高いものが好適である。シート１３に気体が含まれにくい素材を用いることで、カバー１２で密閉される空間であっても、周囲の温度変化による気泡の発生を防ぐことができる。
【００１８】
なお、ベース１１の裏面側（シート１３が配置される反対側）には、当該ボタン１００を衣類２００に取り付けるための取付部１５が形成されている。取付部１５は、図２に例示するようなアーチ形の部材を付けたトンネル状の縫い付け孔１５ａや、ベース１１の裏面側に形成した溝をトンネル状にしたものなどがある。この縫い付け孔１５ａに糸を通して衣類に縫い付けることで、図３に示すように、ボタン１００を衣類２００に装着できる。また、図３に例示するような針状のピン１５ｂと、これの先端部に被せるキャップ１５ｃによる取付部１５もある。ピン１５ｂを衣類２００に刺し、飛び出た先端部にキャップ１５ｃを被せることで、図３に示すように、ボタン１００を衣類２００に（装着）できる。以上のように、ボタン１００には、糸などを用いて縫い付けるタイプと、糸などを使わずに(縫い付けずに)留めるタイプがあるが、いずれのタイプにおいても、シート１３をベース１１に保持させてカバー１２で保護することにより、衣類２００に様々な情報へのアクセスリンクを容易に取り付けることができる。
【００１９】
次に、本実施形態に係るボタン１００の利用例について説明する。図３は、ボタン１００を取り付ける対象の例としての衣類２００を示している。衣類２００には、通常、当該品に関する情報を印字した下げ札２１、当該品のメーカーを識別する情報を表示する衿タグ２２、「組成表示」「取扱絵表示」「はっ水性表示」「付記用語」などが印字されている表示ラベル２３、が付けられる。なお、表示ラベル２３は、衣類２００の内側に取り付けられることが多い。
【００２０】
下げ札２１は、衣類を着用する前に外してしまうことがほとんどである。また、衿タグ２２は、情報を表示できる領域が狭く、大量の情報を表示させることが困難である。表示ラベル２３は洗濯を繰り返すうちに表示が薄くなり識別が困難になることも多い。これに対し、本実施形態に係るボタン１００に付与した識別コード１４を用いて、これら下げ札２１、衿タグ２２及び表示ラベル２３に表示される情報を一括して閲覧可能なホームページを用意し、識別コード１４には、当該ホームページのアドレスを含めるようにする。これによって、大量の情報を表示するための服飾資材を用いることなく、一つの服飾資材によって、大量の情報へのアクセスを容易に行うことができるようになる。また、識別が困難になった表示ラベル２３の情報についても、識別コード１４を用いて閲覧できるので、これら情報の補完をすることもできる。
【００２１】
図４は、ボタン１００をデータへのアクセスリンクとして活用する場合の例を示している。ボタン１００に付与されている識別コード１４は、画像をとして認識可能なものである。したがって、図４に示すように識別コード１４を、カメラ機付きの携帯情報端末であるスマートフォン３００によって撮影することで、アクセスリンクの情報を取得することができる。そしてスマートフォン３００の通信機能を用いて、識別コード１４から読み取ったアクセスリンク（ＵＲＬ）にアクセスし、該当するホームページのデータを取得して表示する。
【００２２】
ここで、識別コード１４によって示されるアクセスリンク先のデータは、通信ネットワーク上に構築されたホームページサーバ４００に保管されているものとする。スマートフォン３００は、ボタン１００の識別コード１４を撮影することで、ホームページサーバ４００にアクセスし、所定の情報を取得して、表示させることができる。
【００２３】
以上のように、本実施形態に係るボタン１００を利用することで、当該ボタン１００が付けられた衣類２００に関する情報を容易に取得することができる。これによって、ボタン１００を服飾資材として用いている衣類に関わる情報、及びボタン１００そのものの情報も容易に取得できる。
【００２４】
また、ボタン１００を衣類２００に用いることによって、従来であれば、衣類２００に付ける必要があった「下げ札２１（表示ラベルを除く）」などを省略することもできる。また、本実施形態に係る下げ札２１に含まれる表示ラベルに表示される情報については、経年劣化によって視認識別が困難になった場合でも、これを補完する情報を容易に閲覧できる。したがって、ボタン１００を用いることで、衣類２００の使用時には廃棄されてしまうものに付与されている情報や、使用によって識別が困難になった情報に対しても、使用中に廃棄されることが無いボタン１００によってアクセスできるようになる。また、資源の削減や、多様な情報をボタン１００一つで提供することができるようになる。
【００２５】
なお、上記の実施形態では、実施形態に係るボタン１００は、外見が円形のものを例示したが、ボタン１００の形状は円形のものに限定されず、多角形であってもよい。また、服飾資材ではなく装飾品に類する「カフスボタンや・衿飾り」にも適用できる。
【符号の説明】
【００２６】
１１    ：ベース
１１ａ  ：取付部
１２    ：カバー
１３    ：シート
１４    ：識別コード
２１    ：下げ札
２２    ：衿タグ
２３    ：表示ラベル
１００  ：ボタン
２００  ：衣類
３００  ：スマートフォン
４００  ：ホームページサーバ
【図１】
0003220543.tif 000003
【図２】
0003220543.tif 000004
【図３】
0003220543.tif 000005
【図４】
0003220543.tif 000006
【図５】
0003220543.tif 000007